(57)【要約】【課題】コントラスト調整のための回動部を無くして液晶表示部のコントラスト調整を容易に行う。【解決手段】液晶駆動回路１は、外部信号を複数のチャンネルの入力端子部２から取り込んで多チャンネルデータとして収録する携帯型データ収録装置の密閉構造をなす本体内の回路基板として実装される。設定入力部６のキー操作によりコントラスト調整モードを液晶表示部１２の表示画面上で選択し、コントラスト調整電圧の増減値が設定されると、制御部８が設定されたコントラスト調整電圧の増減値を液晶駆動部１１に出力し、液晶駆動部１１に液晶表示部１２のコントラスト調整を行わせ、表示画面の明るさを調整する。【選択図】図１
2004191854.tif 000002
【特許請求の範囲】
【請求項１】
外部信号をチャンネルの入力端子から取り込んでチャンネルデータとして収録する携帯型データ収録装置の本体内に実装され、
前記チャンネルデータを表示する液晶表示部と、
前記液晶表示部を駆動する液晶駆動部と、
前記液晶表示部のコントラストを調整するコントラスト調整モードを前記液晶表示部の表示画面上で選択し、コントラスト調整電圧の増減値を設定する設定入力部と、
前記設定入力部によりコントラスト調整モードが選択されたときに、前記コントラスト調整電圧の増減値を前記液晶駆動部に出力し、該液晶駆動部に前記液晶表示部のコントラスト調整を行わせる制御部とを備えたことを特徴とする密閉構造の携帯型データ収録装置の液晶駆動回路。
【請求項２】
外部信号をチャンネルの入力端子から取り込んでチャンネルデータとして収録する携帯型データ収録装置の本体内に実装され、
前記チャンネルデータを表示する液晶表示部と、
前記液晶表示部を駆動する液晶駆動部と、
前記液晶表示部の近傍の温度を検出する温度検出部と、
所定温度毎のコントラスト調整電圧を示すデータが記憶された記憶部と、
温度検出によるコントラスト調整モードを前記液晶表示部の表示画面上で選択設定する設定入力部と、
前記設定入力部により温度検出によるコントラスト調整モードが選択設定されたときに、前記温度検出部からの温度検出信号を取り込み、この取り込んだ温度検出信号の温度に対応するコントラスト調整電圧を前記記憶部から読み出し、この読み出したコントラスト調整電圧を前記液晶駆動部に出力し、該液晶駆動部に前記液晶表示部のコントラスト調整を行わせる制御部とを備えたことを特徴とする密閉構造の携帯型データ収録装置の液晶駆動回路。
【請求項３】
前記入力端子からの前記チャンネルデータを取り込む経路と、前記温度検出部からの温度検出信号を取り込む経路とを切り替えるモード切替部を備え、
前記制御部は、前記設定入力部により温度検出によるコントラスト調整モードが選択設定されたときに、前記モード切替部を前記温度検出部側に切り替えて該温度検出部からの温度検出信号を取り込み、この取り込んだ温度検出信号の温度に対応するコントラスト調整電圧を前記記憶部から読み出し、この読み出したコントラスト調整電圧を前記液晶駆動部に出力し、該液晶駆動部に前記液晶表示部のコントラスト調整を行わせる請求項２記載の密閉構造の携帯型データ収録装置の液晶駆動回路。
【発明の詳細な説明】
【０００１】
【発明の属する技術分野】
本発明は、例えば熱電対からの温度信号を複数チャンネルの端子部から取り込んで多数チャンネルの温度データとして収録する密閉構造の携帯型データ収録装置に採用される液晶駆動回路に関する。
【０００２】
【従来の技術】
データ収録装置は、例えば熱電対や測温抵抗体等の温度計測センサからの温度信号を複数チャンネルの端子部から取り込んで多数チャンネルの温度データとして収録し、この収録した多数チャンネルの温度データを解析処理、管理するためにパソコン等の端末に送信する装置として知られている。
【０００３】
ところで、この種のデータ収録装置では、電源投入後、液晶表示部のバックライトの発する熱などにより温度が上昇すると、コントラストが変化し、場合によっては表示内容が見えなくなることがある。通常、液晶は、周辺温度が低温の場合や急激に変化した場合、液晶の機能が低下して表示が薄くなって視認性を悪化させるなどの障害が生じることがある。このため、環境変化に応じて液晶表示部のコントラスト調整が必要となる。
【０００４】
図５はこの種の従来のデータ収録装置の液晶駆動回路の概略構成を示す図である。図５に示すように、従来の液晶駆動回路５１は、制御部５２、液晶駆動部５３、液晶表示部５４、可変抵抗器５５を備えて概略構成される。
【０００５】
この液晶駆動回路５１では、制御部５２から表示データとともに表示指令が液晶駆動部５３に入力されると、液晶駆動部５３が表示データに基づく所望の表示（例えば各チャンネル毎の温度データの表示）を行うべく液晶表示部５４を駆動制御している。
【０００６】
そして、従来の液晶駆動回路５１では、液晶表示部５４のコントラスト調整を行う場合、液晶表示部５４の表示画面を見ながら可変抵抗器５５を操作していた。さらに説明すると、可変抵抗器５５は、装置本体内の回路部品として回路基板に実装されており、装置本体の側面や裏面から外部に露出するボリューム等の回動部に連動連結されている。コントラスト調整時には、液晶表示部５４の表示画面を確認しながら上記回動部をドライバ等の工具を用いて手動で回動し、この回動部の回動に連動して可変抵抗器５５の抵抗値を可変させていた。これにより、可変抵抗器５５の抵抗値の変化に伴う分圧電圧がコントラスト調整電圧として液晶駆動部５３に印加され、液晶表示部５４のコントラストが調整される。
【０００７】
このように、従来の液晶駆動回路５１では、環境変化に応じて装置本体から外部に露出する回動部を操作して可変抵抗器５５の抵抗値を可変し、この抵抗値の変化に伴う分圧電圧によりコントラスト調整を行い、視認性の向上を図っていた。
【０００８】
【発明が解決しようとする課題】
しかしながら、図５に示す従来の液晶駆動回路では、可変抵抗器５５の抵抗値を可変するための回動部が装置本体から外部に露出した構成なので、装置本体と回動部との間に隙間が生じる。このため、水等の液体が付着した場合、水滴が装置本体と回動部との間の隙間を通って装置内部に進入し、この水滴の水分により機器の機能を阻害する危惧がある。従って、携帯型機器等に要求される防滴構造の液晶駆動回路として用いることができなかった。
【０００９】
また、図５に示す従来の液晶駆動回路は、ドライバ等の工具を用いて装置本体の側面や裏面に設けられた回動部を手動にて回動しコントラスト調整をするため、調整作業が煩わしく、ユーザが液晶に表示された内容を即座に確認することができず、作業に支障を来たすおそれがあった。
【００１０】
さらに、コントラスト調整する電圧が固定の場合には、手軽に持ち運べるように本体の小型化を図って携帯型データ収録装置を構成し、周囲環境温度が変化する用途に用いた際に、常に最適なコントラストを維持するのが困難であり、視認性が悪くなる場合がある。
【００１１】
そこで、本発明は、上記問題点に鑑みてなされたものであり、装置本体から外部に露出する回動部を無くした密閉構造の携帯型データ収録装置に採用し、簡単な操作によりコントラスト調整を行うことができる密閉構造の携帯型データ収録装置の液晶駆動回路を提供することを目的としている。
【００１２】
【課題を解決するための手段】
上記目的を達成するため、請求項１の発明は、外部信号をチャンネルの入力端子から取り込んでチャンネルデータとして収録する携帯型データ収録装置の本体内に実装され、
前記チャンネルデータを表示する液晶表示部と、
前記液晶表示部を駆動する液晶駆動部と、
前記液晶表示部のコントラストを調整するコントラスト調整モードを前記液晶表示部の表示画面上で選択し、コントラスト調整電圧の増減値を設定する設定入力部と、
前記設定入力部によりコントラスト調整モードが選択されたときに、前記コントラスト調整電圧の増減値を前記液晶駆動部に出力し、該液晶駆動部に前記液晶表示部のコントラスト調整を行わせる制御部とを備えたことを特徴とする。
【００１３】
請求項２の発明は、外部信号をチャンネルの入力端子から取り込んでチャンネルデータとして収録する携帯型データ収録装置の本体内に実装され、
前記チャンネルデータを表示する液晶表示部と、
前記液晶表示部を駆動する液晶駆動部と、
前記液晶表示部の近傍の温度を検出する温度検出部と、
所定温度毎のコントラスト調整電圧を示すデータが記憶された記憶部と、
温度検出によるコントラスト調整モードを前記液晶表示部の表示画面上で選択設定する設定入力部と、
前記設定入力部により温度検出によるコントラスト調整モードが選択設定されたときに、前記温度検出部からの温度検出信号を取り込み、この取り込んだ温度検出信号の温度に対応するコントラスト調整電圧を前記記憶部から読み出し、この読み出したコントラスト調整電圧を前記液晶駆動部に出力し、該液晶駆動部に前記液晶表示部のコントラスト調整を行わせる制御部とを備えたことを特徴とする。
【００１４】
請求項３の発明は、請求項２の液晶駆動回路において、
前記入力端子からの前記チャンネルデータを取り込む経路と、前記温度検出部からの温度検出信号を取り込む経路とを切り替えるモード切替部を備え、
前記制御部は、前記設定入力部により温度検出によるコントラスト調整モードが選択設定されたときに、前記モード切替部を前記温度検出部側に切り替えて該温度検出部からの温度検出信号を取り込み、この取り込んだ温度検出信号の温度に対応するコントラスト調整電圧を前記記憶部から読み出し、この読み出したコントラスト調整電圧を前記液晶駆動部に出力し、該液晶駆動部に前記液晶表示部のコントラスト調整を行わせることを特徴とする。
【００１５】
【発明の実施の形態】
以下、本発明の実施の形態を図面を参照しながら具体的に説明する。図１は本発明に係る液晶駆動回路の第１実施の形態を示すブロック図、図２は液晶駆動回路の第２実施の形態を示すブロック図、図３は液晶駆動回路の第３実施の形態を示すブロック図、図４は図１乃至図３の液晶駆動回路が採用される密閉構造の携帯型データ収録装置の一例を示す外観図である。
【００１６】
まず、本発明の液晶駆動回路が採用される密閉構造の携帯型データ収録装置の構成について図４を参照しながら説明する。
【００１７】
密閉構造の携帯型データ収録装置２１（以下、データ収録装置と略称する）は、図４に示すように、矩形状の本体２１ａの上面部に設けられる複数チャンネル（図４の例では４チャンネル）の入力端子部２２に不図示の温度計測センサ（例えば熱電対）をコネクタ接続し、各温度計測センサからの温度信号を取り込んで多数チャンネルの温度データとして収録し、この収録した温度データを外部のパソコン等の上位の端末からなるデータ処理装置に出力するものである。このデータ収録装置２１では、各チャンネル毎に取り込んだ温度データが液晶表示部に表示される。なお、データ処理装置では、データ収録装置２１から入力される複数チャンネルの温度データを解析処理、管理している。
【００１８】
本例のデータ収録装置２１は、温度計測センサとして熱電対を使用する場合、Ｋ熱電対、Ｅ熱電対、Ｊ熱電対、Ｔ熱電対のマルチ対応となっている。また、測定範囲は、例えばＫ熱電対が−２００℃〜１３７０℃、Ｅ熱電対及びＪ熱電対が−２００℃〜７００℃、Ｔ熱電対が−２００℃〜４００℃となっている。
【００１９】
なお、データ収録装置２１の複数チャンネルの入力端子部２２に入力される信号としては、熱電対からの温度信号に限らず、他の温度計測センサ（例えば測温抵抗体）や直流電圧等の信号であっても良い。
【００２０】
図２に示すように、データ収録装置２１の本体２１ａの前面パネル２３には、表示器２４と複数のキー２５が配設されている。本例では、十分な表示領域を確保するため、前面パネル２３の上半部に表示器２４が配設され、前面パネル２３の下半部に複数のキー２５が配置されている。図２の例では、テンキーを含め、３列×６行の１８個のキー２５が設けられる。このキー２５は、後述する本例の液晶駆動回路を採用した際、データ収録に関する各種設定の他、表示器２４のコントラスト調整を行うモードを設定するときに操作される。
【００２１】
また、本例のデータ収録装置２１では、例えばゴム等の弾性材料からなるシール部材を利用して密閉構造とし、本体内に水などの液体が侵入しにくい防滴構造を維持している。そして、このデータ収録装置２１の本体内には、後述する液晶駆動回路が実装される。
【００２２】
次に、上述した密閉構造のデータ収録装置２１に採用される本発明の液晶駆動回路について各実施の形態毎に図面を参照しながら説明する。まず、本発明に係る液晶駆動回路の第１実施の形態について図１を参照しながら説明する。
【００２３】
以下に説明する各実施の形態の液晶駆動回路は、図４に示すデータ収録装置２１の本体２１ａ内に設けられる回路基板（回路基板３０、主回路基板３１、駆動回路基板３２）として実装されるものである。
【００２４】
図１に示すように、第１実施の形態の液晶駆動回路１（１Ａ）は、入力端子部２、入力切替部３、増幅部４、Ａ／Ｄ変換部５、設定入力部６、記憶部７、制御部８、Ｄ／Ａ変換部９、増幅部１０、液晶駆動部１１、液晶表示部１２を備えて概略構成される。
【００２５】
入力端子部２は、図４の入力端子部２２に相当するもので、複数の入力端子１３を備えている。複数の入力端子１３には、例えば熱電対や測温抵抗体などの温度計測センサがコネクタ接続される。この入力端子部２は、温度計測センサが検出する温度信号を各チャンネル毎に入力端子１３から取り込んで入力切替部３に出力している。
【００２６】
入力切替部３は、例えばマルチプレクサで構成される。この入力切替部３は、入力端子部２の各入力端子１３から入力される温度計測センサからの温度信号を順次入力端子１３を切り替えて取り込み、増幅部４に出力している。
【００２７】
増幅部４は、入力切替部３から順次入力される各チャンネル毎の温度信号を所定の増幅率で増幅してＡ／Ｄ変換部５に出力している。
【００２８】
Ａ／Ｄ変換部５は、増幅部４から順次入力される各チャンネル毎の増幅された温度信号（アナログ信号）をデジタル信号に変換して制御部８に出力している。
【００２９】
設定入力部６は、図４に示す複数のキー２５と、各キー２５に対応して設けられる不図示のキースイッチで構成される。設定入力部６は、データ収録に関する各種設定をキー２５の操作により行っている。また、設定入力部６は、液晶表示部１２に表示される各チャンネル毎の温度データの表示方式の選択（例えば１チャンネル表示／多チャンネル表示の選択、チャンネル選択など）をキー２５の操作により行っている。さらに、設定入力部６は、コントラスト調整を行う際に、液晶表示部１２の表示画面上でコントラスト調整モードを選択してコントラスト調整電圧の増減値を設定している。この設定入力部６のキー２５の操作に基づくキースイッチの操作信号は制御部８に入力される。
【００３０】
記憶部７は、例えばＲＯＭやＲＡＭを備えて構成される。この記憶部７には、データ収録に関する各種処理プログラム（例えば液晶表示部１２のコントラストを調整するためのコントラスト調整プログラム）が格納される。また、記憶部７には、各チャンネル毎の収録データや演算後の処理データが格納される。
【００３１】
制御部８は、例えばＣＰＵなどのマイクロプロセッサで構成され、記憶部７のＲＯＭに格納された処理プログラムに従ってデータ収録に関する各種制御やコントラスト調整制御を実行している。具体的に、制御部８は、Ａ／Ｄ変換部５から入力されるデジタル信号を温度計測センサからの各チャンネル毎の温度データとして記憶部７に格納している。また、制御部８は、設定入力部６のキー２５の操作によりコントラスト調整モードが選択されると、その際に設定されたコントラスト調整電圧の増減値をＤ／Ａ変換部９に出力している。さらに、制御部８は、設定入力部６のキー２５の操作に基づいて所望の表示を行うべく、表示データを液晶駆動部１１に出力している。
【００３２】
Ｄ／Ａ変換部９は、制御部８から入力されるコントラスト調整電圧をアナログ信号に変換して増幅部１０に出力している。
【００３３】
増幅部１０は、Ｄ／Ａ変換部９からのアナログのコントラスト調整電圧を所定の増幅率で増幅して液晶駆動部１１に出力している。
【００３４】
液晶駆動部１１は、制御部８から入力される表示データを液晶表示部１２の表示画面上に展開表示するべく液晶表示部１２を表示駆動している。また、液晶駆動部１１は、増幅部１０から入力されるコントラスト調整電圧により液晶表示部１２を駆動してコントラスト調整を行っている。
【００３５】
液晶表示部１２は、図４の表示器２４に相当するもので、例えばドットマトリクス方式の液晶表示器で構成される。この液晶表示部１２は、液晶駆動部１１の駆動により表示画面上に所望の表示がなされる。また、液晶表示部１２は、液晶駆動部１１の駆動によりコントラスト調整される。
【００３６】
上記構成による液晶駆動回路１Ａでは、環境温度の変化により液晶表示部１２のコントラスト調整を行う場合、設定入力部６のキー２５を操作し、液晶表示部１２の表示画面上でコントラスト調整モードを選択し、コントラスト調整電圧の増減値を設定する。このコントラスト調整モードが選択されると、制御部８がコントラスト調整電圧（増減値）をＤ／Ａ変換部９、増幅部１０を介して液晶駆動部１１に出力する。液晶駆動部１１は、制御部８からコントラスト調整電圧が入力されると、そのコントラスト調整電圧の増減値に基づいて液晶表示部１２を駆動し、液晶表示部１２の表示画面の明るさを調整する。
【００３７】
次に、本発明に係る液晶駆動回路の第２実施の形態について図２を参照しながら説明する。なお、図２において上述した第１実施の形態と同一の構成要素には同一番号を付し、重複する説明を省略する。
【００３８】
図２に示すように、第２実施の形態の液晶駆動回路１（１Ｂ）は、上述した第１実施の形態の液晶駆動回路１Ａを構成する入力端子部２、入力切替部３、増幅部４、Ａ／Ｄ変換部５、設定入力部６、記憶部７、制御部８、Ｄ／Ａ変換部９、増幅部１０、液晶駆動部１１、液晶表示部１２に加え、温度検出部１４、増幅部１５、モード切替部１６を備えて構成される。
【００３９】
設定入力部６は、温度検出部１４からの温度検出信号に基づいてコントラスト調整を行う際に、液晶表示部１２の表示画面上で温度検出によるコントラスト調整モードを選択設定している。この設定入力部６のキー２５の操作に基づくキースイッチの操作信号は制御部８に入力される。
【００４０】
温度検出部１４は、データ収録装置２１の本体２１ａの液晶表示部１２の近傍に設けられ、液晶表示部１２の近傍の温度を検出し、この検出した温度検出信号を増幅部１５に出力している。
【００４１】
なお、温度検出部１４は、データ収録装置２１の本体２１ａに設けられる端子にも防滴構造が採用される構成であれば、本体２１ａに熱電対や測温抵抗体などの温度計測センサを端子に接続し、外部の温度を検出することも可能である。
【００４２】
増幅部１５は、温度検出部１４からの温度検出信号を所定の増幅率で増幅している。
【００４３】
モード切替部１６は、入力端子部２からの多チャンネルデータを取り込む経路と、温度検出部１４からの温度検出信号を取り込む経路とを切り替えるものである。このモード切替部１６は、例えばスイッチで構成され、２つの増幅部１０，１５とＡ／Ｄ変換部５との間に設けられる。このモード切替部１６は、制御部８からの切替信号により、増幅部１０とＡ／Ｄ変換部５との間、又は増幅部１５とＡ／Ｄ変換部５との間を接続するように接点が切り替えられる。さらに説明すると、このモード切替部１６は、通常、増幅部１０とＡ／Ｄ変換部５との間が接続されるようにスイッチの接点が制御部８からの切替信号により切り替えられている。また、モード切替部１６は、コントラスト調整モードが選択されたときに、増幅部１５とＡ／Ｄ変換部５との間が接続されるようにスイッチの接点が制御部８からの切替信号により切り替えられる。
【００４４】
記憶部７には、所定温度毎のコントラスト調整電圧がテーブル形式で予め格納されている。
【００４５】
制御部８は、温度検出によるコントラスト調整モードが設定されたときに、増幅部１５とＡ／Ｄ変換部５との間が接続されるようにモード切替部１６に切替信号を出力している。また、制御部８は、温度検出によるコントラスト調整モード時に、温度検出部１４からの温度検出信号の温度に対応するコントラスト調整電圧を記憶部７から読み出し、この読み出したコントラスト調整電圧によりコントラスト調整を実行するべく、Ｄ／Ａ変換部９、増幅部１０を介して液晶駆動部１１にコントラスト調整電圧を出力している。
【００４６】
上記構成による液晶駆動回路１Ｂでは、環境温度の変化により液晶表示部１２のコントラスト調整を行う場合、設定入力部６のキー２５を操作し、液晶表示部１２の表示画面上で温度検出によるコントラスト調整モードを選択設定する。この温度検出によるコントラスト調整モードが選択されると、制御部８がモード切替部１６に切替信号を出力して増幅部１５とＡ／Ｄ変換部５との間を接続する。これにより、温度検出部１４が検出した温度検出信号は、増幅部１５で所定の増幅率で増幅され、Ａ／Ｄ変換部５でデジタル信号に変換された後に制御部８に出力される。制御部８は、温度検出部１４からの温度検出信号（デジタル信号）が入力されると、この温度検出信号の温度に対応するコントラスト調整電圧を記憶部７から読み出し、この読み出したコントラスト調整電圧をＤ／Ａ変換部９、増幅部１０を介して液晶駆動部１１に出力する。液晶駆動部１１は、制御部８からコントラスト調整電圧により液晶表示部１２を駆動し、液晶表示部１２の表示画面の明るさを調整する。
【００４７】
なお、設定入力部６のキー２５の操作により液晶表示部１２の表示画面上でコントラスト調整モードを選択し、上述した第１実施の形態の液晶駆動回路１Ａで説明したコントラスト調整を行うこともできる。
【００４８】
次に、本発明に係る液晶駆動回路の第３実施の形態について図３を参照しながら説明する。なお、図３において上述した第１、２実施の形態と同一の構成要素には同一番号を付し、その説明を省略する。
【００４９】
図３に示すように、第３実施の形態の液晶駆動回路１（１Ｃ）は、上述した第１実施の形態の液晶駆動回路１Ａを構成する入力端子部（図４の入力端子部２２に相当）２、入力切替部３、増幅部４、Ａ／Ｄ変換部５、設定入力部６、記憶部７、制御部８、Ｄ／Ａ変換部９、増幅部１０、液晶駆動部１１、液晶表示部１２に加え、温度検出部１４、増幅部１５、Ａ／Ｄ変換部１７を備えて構成される。
【００５０】
この第３実施の形態の液晶駆動回路１Ｃは、第２実施の形態の液晶駆動回路１Ｂからモード切替部１６を省き、温度検出部１４からの温度検出信号を増幅部１５で増幅した後、Ａ／Ｄ変換部１７でデジタル信号に変換して制御部８に出力する構成となっている。すなわち、入力端子部２からの各チャンネル毎の温度データをデジタル信号に変換して制御部８に出力する構成と、温度検出部１４が検出する温度検出信号をデジタル信号に変換して制御部８に出力する構成とを別構成としている。
【００５１】
上記構成による液晶駆動回路１Ｃでは、温度検出部１４が検出した温度検出信号は、増幅部１５で所定の増幅率で増幅され、Ａ／Ｄ変換部１７でデジタル信号に変換された後に制御部８に出力される。制御部８は、温度検出部１４からの温度検出信号（デジタル信号）が入力されると、この温度検出信号の温度に対応するコントラスト調整電圧を記憶部７から読み出し、この読み出したコントラスト調整電圧をＤ／Ａ変換部９、増幅部１０を介して液晶駆動部１１に出力する。液晶駆動部１１は、制御部８からコントラスト調整電圧が入力されると、そのコントラスト調整電圧で液晶表示部１２を駆動し、液晶表示部１２の表示画面の明るさを調整する。
【００５２】
従って、この第３実施の形態の液晶駆動回路１Ｃでは、データ収録中でも制御部８が割込みをかけ、温度検出部１４の温度検出信号に対応するコントラスト調整電圧を記憶部７から読み出し、この読み出したコントラスト調整電圧により液晶表示部１２のコントラスト調整を行うことができる。
【００５３】
このように、本例の液晶駆動回路１（１Ａ〜１Ｃ）によれば、装置本体から外部に露出する回動部を無くした密閉構造の携帯型データ収録装置２１に採用し、簡単な操作によりコントラスト調整を行うことができる。
【００５４】
また、第２、第３実施の形態の液晶駆動回路１Ｂ，１Ｃによれば、例えば冷凍庫や高温な場所で使用する場合でも、液晶表示部１２の近傍の温度を検出し、この検出した温度に基づいてコントラスト調整することができる。
【００５５】
特に、第３実施の形態の液晶駆動回路１Ｃでは、データ収録と同時に温度検出部１４が検出する温度に基づいて自動的にコントラスト調整を行うので、ユーザへの作業負担が軽減され、データ収録作業中に使用環境が変化した場合でも、ユーザのデータ収録作業に支障を来すことがなく、効率的にデータ収録を行うことができる。
【００５６】
ところで、上述した各実施の形態では、コントラスト調整電圧を出力するＤ／Ａ変換部９が制御部８に外付けされる別々の構成として図示して説明したが、制御部８にＤ／Ａ変換部９の機能を内蔵し、制御部８からコントラスト調整電圧を出力する構成としても良い。
【００５７】
【発明の効果】
以上の説明で明らかなように、本発明によれば、装置本体から外部に露出する回動部を無くした密閉構造の携帯型データ収録装置に採用し、簡単な操作によりコントラスト調整を行うことができる。
【００５８】
また、この種の携帯型データ収録装置を例えば冷凍庫や高温な場所で使用する場合でも、液晶表示部の近傍の温度を検出し、この検出した温度に基づいてコントラスト調整することができる。
【００５９】
さらに、データ収録と同時に温度検出部が検出する温度に基づいて自動的にコントラスト調整を行う構成とすれば、ユーザへの作業負担が軽減され、データ収録作業中に使用環境が変化した場合でも、ユーザのデータ収録作業に支障を来すことがなく、効率的にデータ収録を行うことができる。
【図面の簡単な説明】
【図１】本発明に係る液晶駆動回路の第１実施の形態を示すブロック図である。
【図２】本発明に係る液晶駆動回路の第２実施の形態を示すブロック図である。
【図３】本発明に係る液晶駆動回路の第３実施の形態を示すブロック図である。
【図４】本発明に係る液晶駆動回路が採用される密閉構造の携帯型データ収録装置の一例を示す外観図である。
【図５】従来の液晶駆動回路の一例を示すブロック図である。
【符号の説明】
１（１Ａ〜１Ｃ）…液晶駆動回路、２…入力端子部、６…設定入力部、７…記憶部、８…制御部、１１…液晶駆動部、１２…液晶表示部、１４…温度検出部、１６…モード切替部、２１…携帯型データ収録装置。
【図１】
2004191854.tif 000003
【図２】
2004191854.tif 000004
【図３】
2004191854.tif 000005
【図４】
2004191854.tif 000006
【図５】
2004191854.tif 000007